(57)【要約】【課題】二枚の表示パネルによって、装置正面及び装置背面に所定の画像を表示するものでありながら、装置の大型化を回避し、防塵・防水性を有しつつ、装置内の熱を効率良く装置外に排出する。【解決手段】主に屋外に設置され、装置正面及び装置背面に所定の画像を表示する屋外用両面表示装置１であって、装置正面に画像を表示する正面表示パネル８と、この正面表示パネルと背中合わせに配置され、装置背面に画像を表示する背面表示パネル８と、吸気口２ａ及び排気口１４ｂの形成部分を除いて、装置全体を気密的に覆うカバー構造と、を備える構成としてある。【選択図】図２
2010102227.tif 000002
【特許請求の範囲】
【請求項１】
主に屋外に設置され、装置正面及び装置背面に所定の画像を表示する屋外用両面表示装置であって、
装置正面に画像を表示する正面表示パネルと、
この正面表示パネルと背中合わせに配置され、装置背面に画像を表示する背面表示パネルと、
吸気口及び排気口の形成部分を除いて、装置全体を気密的に覆うカバー構造と、を備える
ことを特徴とする屋外用両面表示装置。
【請求項２】
前記カバー構造は、
装置両側部を覆う二つの側部カバーと、
装置正面及び装置背面を覆う二枚の透明保護板と、
装置上部を覆う上部カバーと、を少なくとも備える
請求項１記載の屋外用両面表示装置。
【請求項３】
装置底部に吸気口を形成した請求項１又は２記載の屋外用両面表示装置。
【請求項４】
前記側部カバーに、前記透明保護板の側縁部が鉛直方向に亘って嵌入される溝を形成した請求項２又は３記載の屋外用両面表示装置。
【請求項５】
前記上部カバーに、前記透明保護板の上縁部が嵌入される溝を形成した請求項２〜４のいずれか一項に記載の屋外用両面表示装置。
【請求項６】
設置面と所定の間隔をおいて対向するベースと、
前記ベースの左右両側に立設される二本の側部フレームと、
前記側部フレームの上端部間に設けられる上部フレームと、を備える
請求項１〜５のいずれか一項に記載の屋外用両面表示装置。
【請求項７】
前記両表示パネルの下方側を、電源及び／又は所定の基板が収容される電源・基板類収容部とした請求項１〜６のいずれか一項に記載の屋外用両面表示装置。
【請求項８】
前記正面表示パネルと前記背面表示パネルを、所定の間隔をおいて配置し、前記両表示パネル間に形成される隙間を冷却風の風路とした請求項１〜７のいずれか一項に記載の屋外用両面表示装置。
【請求項９】
前記冷却風は、装置底部の下方から装置内の前記電源・基板類収容部に吸い込まれるとともに、前記両表示パネル間の風路を通って装置上部に到達し、装置上部の左右側部から外側方に向けて排出される請求項８記載の屋外用両面表示装置。
【請求項１０】
前記電源及び／又は所定の基板に、冷却フィンを設けるとともに、この冷却フィンを上下方向に沿って配置した請求項７〜９のいずれか一項に記載の屋外用両面表示装置。
【請求項１１】
装置上部側に送風ファンを設けた請求項１〜１０のいずれか一項に記載の屋外用両面表示装置。
【請求項１２】
前記送風ファンの下流側に、冷却風を外側方へ導く排気ダクトを設けるとともに、該排気ダクトの終端部に、冷却風を斜め下方へ導く舌片を形成した請求項１１記載の屋外用両面表示装置。
【請求項１３】
前記表示パネルと前記透明保護板との間に隙間を形成した請求項２〜１２のいずれか一項に記載の屋外用両面表示装置。
【請求項１４】
前記上部カバー及び／又は前記側部カバーは、
前記排気ダクトの終端部よりも下方に位置し、前記排気ダクトの終端部から排気される冷却風を装置外へ導く排気口と、
前記排気口の内側に設けられ、前記排気口から侵入した水を装置外へ導く防水板と、を備える請求項１２又は１３記載の屋外用両面表示装置。
【請求項１５】
前記冷却風は、装置側部からも吸い込まれ、前記両表示パネル間の風路に合流される請求項８〜１４のいずれか一項に記載の屋外用両面表示装置。
【請求項１６】
前記側部カバーは、
前記側部フレームに形成される吸気孔よりも下方に位置し、機外から吸い込んだ冷却風を前記吸気孔へ導く吸気口と、
前記吸気口の内側に設けられ、前記吸気口から侵入した水を装置外へ導く防水板と、を備える請求項１５記載の屋外用両面表示装置。
【請求項１７】
前記両表示パネルは、いずれも液晶パネルである請求項１〜１６のいずれか一項に記載の屋外用両面表示装置。
【発明の詳細な説明】
【技術分野】
【０００１】
本発明は、主に屋外に設置され、装置正面及び装置背面に画像を表示する屋外用両面表示装置に関する。
【背景技術】
【０００２】
主に屋外に設置され、装置正面に所定の画像を表示する屋外用表示装置が知られている（例えば、特許文献１、２参照）。
この種の屋外用表示装置は、例えば、店頭に移動可能に設置して、イベント、キャンペーンの案内、商品、店内の紹介などを動画で表示したり、また、注目度の高いスポーツの実況中継や時事ニュースを放映することにより、お店の宣伝効果を高めることができる。
また、店内に各種の遊技台（パチンコ遊技機、スロットマシンなど）が設置される遊技店においては、この種の屋外用表示装置を店頭に設置すると、店内に設置された遊技台の機種毎の空き状況、大当り回数状況などを動画でダイナミックに紹介することが可能となる。
【０００３】
このような屋外用表示装置は、一枚の表示パネルを組み込み、装置の片面において動画などの画像を表示するに過ぎないため、画像の視認範囲が狭いだけでなく、表示できる情報量に限界があった。
そこで、二枚の表示パネルを組み込み、装置正面及び装置背面に所定の画像を表示する両面表示装置が提案されている（例えば、特許文献３）。
【０００４】
ところで、この種の屋外用表示装置には、液晶パネルなどの表示パネルだけでなく、表示パネルを制御する制御基板や、表示パネルや制御基板に電源を供給する電源などが組み込まれている。
このような屋外用表示装置は、風雨に曝されることから、これらの部品を雨水や粉塵から守るために、気密性を有する防塵・防水構造を備える必要がある。
また、これらの部品は、いずれも熱を発し、装置内の温度を上昇させるため、装置内の熱を装置外に積極的に排出する冷却構造を備える必要がある。
冷却構造に関しては、例えば、特許文献１に示される屋外用表示装置では、表示パネルが収納される筐体の周囲にエアダクトを設けており、送風ファンの駆動に応じて筐体底部（中央）の吸気口から冷却風（外気）を吸い込むとともに、吸い込んだ冷却風をエアダクトを経由して筐体底部（左右）の排気口から排出している。
また、特許文献２に示される屋外用表示装置では、表示パネルが収納される筐体の上部に下向きの吸気口を設けるとともに、筐体底部に排気口を設けており、送風ファンの駆動に応じて吸気口から吸い込んだ冷却風を、筐体内で循環させながら排気口から排出している。
【特許文献１】特開平３−２２５９５号公報
【特許文献２】特開２００６−１６３２１７号公報
【特許文献３】特開平９−９０３２５号公報
【発明の開示】
【発明が解決しようとする課題】
【０００５】
このような従来の屋外用表示装置に、二枚の表示パネルを組み込むとなると、装置筐体の奥行きが増大し、装置全体が大型化してしまうことが懸念される。
また、発熱する部品点数も増えることから装置内部の温度が上昇するおそれがある。
【０００６】
このような二枚の表示パネルを組み込んだ屋外用表示装置に対して、特許文献１、２に示される冷却構造をそのまま適用することは困難である。
すなわち、特許文献１、２に示される屋外用表示装置の冷却構造は、一枚の表示パネルを前提とし、二枚の表示パネルを組み込む構成を想定していないからである。
また、これらの冷却構造では、装置内において冷却風を循環させるために、比較的大きな容量の流動経路を確保しなければならず、装置全体の大型化を避けることができなかった。
【０００７】
また、上記のいずれの特許文献においても、防塵・防水構造についてはなんら記載されていなかった。
そこで、装置全体が大型化することなく、防塵・防水構造及び冷却構造を有し、スリムかつ簡易な構造からなる、二枚の表示パネルを組み込んだ屋外用表示装置が望まれていた。
【０００８】
本発明は、上記の事情にかんがみなされたものであり、二枚の表示パネルによって、装置正面及び装置背面に所定の画像を表示するものでありながら、装置の大型化を回避し、防塵・防水性を有しつつ、装置内の熱を効率良く装置外に排出することができる屋外用両面表示装置の提供を目的とする。
【課題を解決するための手段】
【０００９】
上記目的を達成するため本発明の屋外用両面表示装置は、主に屋外に設置され、装置正面及び装置背面に所定の画像を表示する屋外用両面表示装置であって、装置正面に画像を表示する正面表示パネルと、この正面表示パネルと背中合わせに配置され、装置背面に画像を表示する背面表示パネルと、吸気口及び排気口の形成部分を除いて、装置全体を気密的に覆うカバー構造と、を備える構成としてある。
【発明の効果】
【００１０】
本発明によれば、二枚の表示パネルによって、装置正面及び装置背面に動画などの画像を表示するものでありながら、有効な防塵・防水構造と効率的な冷却構造を確保しつつ、外形をスリムな形状にした屋外用両面表示装置を提供できる。
【発明を実施するための最良の形態】
【００１１】
以下、本発明の実施形態について、図面を参照して説明する。
【００１２】
［第一実施形態］
図１は、本発明の第一実施形態に係る屋外用両面表示装置の斜視図、図２は、本発明の第一実施形態に係る屋外用両面表示装置の分解斜視図である。
これらの図に示す屋外用両面表示装置１は、主に屋外に設置され、装置正面及び装置背面に所定の画像を表示するものであり、以下に説明するフレーム構造、気密性を有するカバー構造及び冷却構造を備えている。
【００１３】
［フレーム構造］
屋外用両面表示装置１のフレームは、ベース２、側部フレーム３及び上部フレーム４を備えて構成されている。
ベース２は、矩形状の鉄板などを用いて形成され、四隅に設けられるキャスタ５を介して設置面（地面など）に設置される。これにより、ベース２は、設置面と所定の間隔をおいて対向することになる。
ベース２の中央部には、多数の丸孔からなる吸気口２ａが穿設されている。
このように、装置底部であるベース２に吸気口２ａを設けることで、雨水の侵入を防止しつつ、冷却風（外気）を取込むことができる。
また、吸気口２ａには、図示しない防塵フィルターが設けてあり、粉塵の進入が阻止されるようになっている。
【００１４】
側部フレーム３は、断面コ字型の金属フレーム材からなり、ベース２の左右両側に垂直に立設される。左右の側部フレーム３間には、液晶パネルからなる二枚の表示パネル８が取付金具８ａを介して取り付けられる。一方の表示パネル８は、装置正面に画像を表示する正面表示パネルであり、その左右両側部が左右の側部フレーム３の内側面に固定される。また、他方の表示パネル８は、装置背面に画像を表示する背面表示パネルであり、その左右両側部が左右の側部フレーム３の内側面に固定される。
このように各表示パネル８を側部フレーム３の内側面に固定することで、屋外用両面表示装置１の奥行き（厚み）の増加を抑えることができる。
ここで、二枚の表示パネル８は、所定の間隔をおいて背中合わせに側部フレーム３に固定され、両表示パネル８間には、後述する冷却風の風路９となる隙間が形成される。
なお、側部フレーム３には、スピーカ取付部、インタフェース（ＬＡＮソケット、ＵＳＢソケットなど）取付部、カバー係止孔などが設けられている（不図示）。
また、両表示パネル８の下方側であって、吸気口２ａの上方空間は、電源・基板類収容部Ｓとなっており、ここに発熱部品である電源６や制御基板７が配置されるようになっている。
これにより、表示パネル８と、電源６や制御基板７とが水平方向に積層されないことから、屋外用両面表示装置１のスリム化が図られる。
【００１５】
上部フレーム４は、断面コ字型の金属フレーム材からなり、左右側部フレーム３の上端部間に架設される。
上部フレーム４には、左右２つの排気孔４ａが形成されている。各排気孔４ａの下側には、送風ファン１０が取り付けられ、各排気孔４ａの上側には、排気ダクト１１が取り付けられる。
なお、本実施形態では、二枚の表示パネル８を側部フレーム３に固定したが、上部フレーム４に固定することもできる。さらに、二枚の表示パネル８を側部フレーム３と上部フレーム４の両方に固定しても良い。
【００１６】
［カバー構造］
本実施形態に係る屋外用両面表示装置１のカバー構造は、側部カバー１２、透明保護板１３及び上部カバー１４を備えて構成されている。
側部カバー１２は、不透明の樹脂からなる断面コ字型の射出成形品であり、装置両側部を覆うように左右の側部フレーム３にそれぞれ取り付けられる。例えば、側部カバー１２の内側に係止爪を形成し、この係止爪を側部フレーム３の係止孔に引っ掛けることにより、側部カバー１２を側部フレーム３に取り付ける。
側部カバー１２の前後両端部には、透明保護板１３の左右側縁部を気密的に嵌合支持するシール溝１２ａが鉛直方向に連続して形成されている。
このように、シール溝１２ａを鉛直方向に連続して形成することで、万一このシール溝１２ａに雨水が浸入した場合でも、このシール溝１２ａに沿って雨水を流下させ、装置外部に排水することができる。
また、側部カバー１２の上端部には、後述する防水板１２ｂが形成されている。
【００１７】
透明保護板１３は、透明樹脂又はガラスからなる一枚板の透明板材であり、装置正面及び装置背面を覆うように左右の側部カバー１２間に取り付けられる。具体的には、左右の側部カバー１２に形成されるシール溝１２ａに対し、透明保護板１３の左右側縁部を上方からスライドして嵌入することにより、側部カバー１２に対して気密的に嵌合支持される。このとき、透明保護板１３と表示パネル８との間には、冷却風が通り抜け可能な隙間１５が形成される。
さらに、気密性を高めるため、シール溝１２ａと透明保護板１３との間にパッキン等を挟み込むこともできる。
このように、装置正面及び装置背面を一枚板の透明板材からなる透明保護板１３で覆うとともに、この透明保護板１３を側部カバー１２に形成されるシール溝１２ａにスライドして嵌入されるように構成することで、屋外用両面表示装置１の気密性を確保しつつ、装置外形をスリムな形状とすることができる。
【００１８】
また、透明保護板１３は、内部のある側部フレーム３及び表示パネル８の表示枠（非表示領域）等が外部から見えないように、その周縁部に塗装を施してある。これにより、外観からの見栄えをよくすることができる。また、装置正面及び装置背面に新たに化粧枠を設ける必要もないため、部品点数を少なくすることができ、製造上においても大型かつ高価な金型を必要としないことから、コストの削減が図られる。
さらに、デザイン的にも、透明保護板１３が大きいことで、全体をスリムな形状に見せることができる。
【００１９】
上部カバー１４は、不透明の樹脂からなる断面コ字型の射出成形品であり、装置上部を覆うように左右の側部カバー１２の上端部間に架設される。
このように上部カバー１４が、装置上部を覆うことから、装置内への雨水の浸入を阻止するようになっている。
上部カバー１４の前後両端部には、透明保護板１３の上縁部を気密的に嵌合支持するシール溝１４ａが水平方向及び鉛直方向に連続して形成されている。
また、このシール溝１４ａは、上記の側部カバー１２のシール溝１２ａと連結することになっている。これにより、万一このシール溝１４ａに雨水が浸入した場合でも、シール溝１４ａからシール溝１２ａに沿って雨水が流下し、装置外部に排水することができる。
また、上部カバー１４の左右両端部には、後述する排気口１４ｂが形成されている。
そして、側部カバー１２、透明保護板１３及び上部カバー１４からなる本実施形態のカバー構造によれば、吸気口２ａ及び排気口１４ｂの形成部分を除いて、装置全体を気密的に覆うことができる。
【００２０】
［冷却構造］
図３は、本発明の第一実施形態に係る屋外用両面表示装置において、装置内部の冷却風の流れを示す正面図、図４は、本発明の第一実施形態に係る屋外用両面表示装置において、排気口周辺の構成を示す一部切欠き平面図、図５は、本発明の第一実施形態に係る屋外用両面表示装置において、排気口周辺の構成を示すＡ−Ａ断面図である。図６は、同様に、排気口周辺の構成を示すＡ−Ａ断面図である。
【００２１】
図２及び図４に示すように、本発明の第一実施形態に係る屋外用両面表示装置１では、二枚の表示パネル８によって、装置正面及び装置背面に所定の画像を表示するにあたり、前述したように、二枚の表示パネル８を、所定の間隔をおいて背中合わせに配置し、両表示パネル８間に形成される隙間を冷却風の風路９としている。
つまり、二枚の表示パネル８によって、装置正面及び装置背面に画像を表示しつつ、この二枚の表示パネル８を利用して冷却風の風路９を形成するので、別部材を使って冷却風路を形成する場合に比べ、装置の大型化や部品点数の増加を回避することができるだけでなく、装置内における冷却風の流動経路を可及的に短くして、装置内の熱を効率良く装置外に排出することができるようになっている。
【００２２】
また、図３に示すように、冷却風は、装置底部（吸気口２ａ）の下方から装置内の電源・基板類収容部Ｓに吸い込まれるとともに、両表示パネル８間の風路９を通って装置上部に到達し、装置上部の左右側部（排気口１４ｂ）から外側方に向けて排出されることが好ましい。
このような冷却構造によれば、電源６、制御基板７などの発熱部品が、吸い込まれた冷却風に最初に曝され、冷却されることから、収容される電源・基板類収容部Ｓを効率良く冷却することができる。
また、両表示パネル８間の風路９を形成することで、電源６、制御基板７などで暖められて上昇する冷却風を、この流れに逆らわず、上方に誘導することができる。
さらに、両表示パネル８間の風路９を通って装置上部に到達した冷却風を、装置上部の左右側部から外側方に向けて排出することにより、装置上部からの雨水の浸入を阻止しつつ、装置正面や装置背面で動画を見ている人に向かって冷却風（温風）が排出されるような不都合も回避できる。
【００２３】
また、図３に示すように、本実施形態では、装置底部にのみ吸気口２ａを形成し、ここから集中的に冷却風を吸い込むようにしてある。
このように冷却構成によれば、冷却風の吸い込み箇所を複数に分散する場合に比べ、冷却風の吸い込みが確実になるとともに、電源・基板類収容部Ｓの冷却効率を高めることができる。さらに、本発明のカバー構造によって、装置内の気密性が高められていることから、圧力損失がほとんどなくなり、冷却風を吸い込み、そして排出する冷却風の循環効率が向上し、冷却が促進される。
【００２４】
また、電源・基板類収容部Ｓに収容される電源６や制御基板７には、冷却フィン６ａを設けてある。例えば、図２及び図３に示すように、電源・基板類収容部Ｓに縦置きに配置される電源６の正面側に複数の冷却フィン６ａを設ける。
このようにすると、電源・基板類収容部Ｓに収容される電源６や制御基板７の放熱効果を高めることができる。
また、電源６や制御基板７に冷却フィン６ａを設ける場合には、冷却フィン６ａを上下方向に沿わせて配置することが好ましい。
このようにすると、冷却風の流れ方向である上下方向に冷却フィン６ａが沿うことになるので、冷却フィン６ａが冷却風の流れを妨げるような不都合も回避できる。
【００２５】
以下、本実施形態に係る冷却構造の構成要素である送風ファン１０、排気ダクト１１、排気口１４ｂについて、図４〜図６を参照しつつ、具体的に説明する。
送風ファン１０は、冷却風を起風し得るものであれば、様々な種類のファンを用いることができる。例えば、図５に示すように、冷却風を下方から吸い込んで上方に排出する軸流ファンを用いることもできる。また、図６に示すように、冷却風を下方から吸い込んで側方に排出する遠心ファンを用いてもよい。この場合には、例えば、円筒状に形成されるファン本体の周面部に平行な翼を多数備える同図に示すようなシロッコファン（多翼ファン）を用いることができる。これにより、排気ダクト１１を用いることなく、冷却風を強制的に側方に排出することもできる。
送風ファン１０は、前述したように、両表示パネル８間に形成される風路９の上端部近傍位置に配置することが好ましい。このようにすると、冷却風の吸い込み及び排出を効率良く行うことができる。
【００２６】
図４〜図６に示すように、排気ダクト１１は、送風ファン１０の下流側で冷却風を外側方へ導くように形成される。本実施形態の排気ダクト１１は、金属板の周囲に下方に折曲する折曲片１１ａを形成してなり、これを上部フレーム４の上面に伏せた姿勢で取り付けることにより、上部フレーム４との間に冷却風の誘導路を形成している。
排気ダクト１１の終端部（外端部）には、冷却風を斜め下方へ導く舌片１１ｂを形成することが好ましい。
このようにすると、冷却風を斜め下方に向けて排出することができるので、排気口１４ｂからの雨水や塵埃の侵入を防止することができる。
【００２７】
なお、本実施形態の排気ダクト１１は、平面形状が矩形であり、内部に形成される風路の断面積が冷却風の流れ方向において一様であるが、排気ダクト１１の終端部に、冷却風の流速を増速させる絞り部を形成してもよい。例えば、終端部側ほど折曲片１１ａの幅を狭くし、これを絞り部とする。
このようにすると、排気口１４ｂの近くで冷却風の流速が増速され、強力な気流が発生するので、装置内の熱を確実に排出することができるだけでなく、排気口１４ｂからの雨水や塵埃の侵入も防止することができる。
【００２８】
図４〜図６に示すように、排気口１４ｂは、排気ダクト１１の終端部よりも下方に位置するように上部カバー１４に形成され、排気ダクト１１の終端部から排気される冷却風を装置外へ導く。本実施形態の排気口１４ｂは、平行に並ぶ複数のスリット孔として形成されるが、孔形状は任意に設定することができる。
排気口１４ｂの内側には、前述した防水板１２ｂが設けられており、排気口１４ｂから侵入した雨水を装置外へ導く。
このようにすると、排気口１４ｂからの雨水の侵入を防止しつつ、冷却風を装置外へ確実に排出することができる。
【００２９】
本実施形態の防水板１２ｂは、排気口１４ｂの下端位置から装置内方に水平に延びる底部１２ｃと、底部１２ｃの三辺から立ち上がる壁部１２ｄとを備えて構成されている。
ここで、防水板１２ｂの幅寸法は、排気ダクト１１の幅寸法に合わせることが好ましい。
このようにすると、排気ダクト１１の終端部から吹き出る冷却風を防水板１２ｂの壁部１２ｄで効率良く排気口１４ｂへ導くことができる。
また、本実施形態では、防水板１２ｂの底部１２ｃを水平面としているが、底部１２ｃを水平面とせず、外側ほど低くなる斜面としてもよい。
このようにすると、排気口１４ｂから侵入した雨水を積極的に装置外へ導くことができる。
【００３０】
以上のように、本実施形態の屋外用両面表示装置１は、二枚の表示パネルによって、装置正面及び装置背面に所定の画像を表示するものでありながら、装置の大型化を回避し、防塵・防水性を有しつつ、装置内の熱を効率良く装置外に排出することができる。
すなわち、装置両側部を覆う二つの側部カバー１２と、装置正面及び装置背面を覆う二枚の透明保護板１３と、装置上部を覆う上部カバー１４と、ベース２とにより、吸気口２ａ及び排気口１４ｂの形成部分を除いて、装置全体を気密的に覆うことで、装置のスリム化や小型化、部品点数の削減を図りつつ、屋外用表示装置に必要な防水性や防塵性を確保できるだけでなく、送風ファン１０の吸気効率や排気効率も向上させて、冷却効率を向上させることができる。
また、この二枚の表示パネル８を利用して冷却風の風路９を形成することで、別部材を使って冷却風路を形成する場合に比べ、装置の大型化や部品点数の増加を回避することができるだけでなく、装置内における冷却風の流動経路を可及的に短くして、装置内の熱を効率良く装置外に排出することができる。
【００３１】
また、冷却風は、装置底部の下方から装置内の電源・基板類収容部Ｓに吸い込まれるとともに、両表示パネル８間の風路９を通って装置上部に到達し、装置上部の左右側部から外側方に向けて排出されるので、電源６、制御基板７などの発熱部品が収容される電源・基板類収容部Ｓを効率良く冷却することができる。また、両表示パネル８間の風路９を通って装置上部に到達した冷却風を、装置上部の左右側部から外側方に向けて排出するので、装置上部からの雨水の浸入を阻止しつつ、装置正面や装置背面で動画を見ている人に向かって冷却風（温風）が排出されるような不都合も回避できる。
【００３２】
また、本実施形態では、電源・基板類収容部Ｓに収容される電源６に、冷却フィン６ａを設けるとともに、この冷却フィン６ａを上下方向に沿って配置したので、電源・基板類収容部Ｓに収容される電源６の放熱効果を高めることができる。しかも、冷却フィン６ａは、冷却風の流れ方向である上下方向に沿って設けられるため、冷却風の流れを妨げるような不都合も回避できる。
【００３３】
また、本実施形態の屋外用両面表示装置１は、設置面と所定の間隔をおいて対向するベース２と、ベース２の左右両側に立設される２本の側部フレーム３と、側部フレーム３の上端部間に設けられる上部フレーム４とを備え、側部フレーム３で両表示パネル８を支持するとともに、上部フレーム４に送風ファン１０を設けたので、二枚の表示パネル８をコンパクトに支持できるだけでなく、両表示パネル８間に形成される風路９の上端部に送風ファン１０を配置して、冷却風の吸い込み及び排出を効率良く行うことができる。
【００３４】
また、送風ファン１０の下流側に、冷却風を外側方へ導く排気ダクト１１を設けるとともに、該排気ダクト１１の終端部に、冷却風を斜め下方へ導く舌片１１ｂを形成したので、冷却風を斜め下方に向けて排出し、排気口１４ｂからの雨水や塵埃の侵入を防止することができる。
【００３５】
また、表示パネル８と透明保護板１３との間に、冷却風が通り抜け可能な隙間１５を形成したので、表示パネル８と透明保護板１３との間に冷却風を流すことにより、表示パネル８の冷却効率を高めることができるだけでなく、表示パネル８や透明保護板１３の結露を防止し、結露により視認性の低下を回避することができる。
【００３６】
また、上部カバー１４や側部カバー１２は、排気ダクト１１の終端部よりも下方に位置し、排気ダクト１１の終端部から排気される冷却風を装置外へ導く排気口１４ｂと、排気口１４ｂの内側に設けられ、排気口１４ｂから侵入した雨水を装置外へ導く防水板１２ｂとを備えるので、排気口１４ｂからの雨水の侵入を防止しつつ、冷却風を装置外へ確実に排出することができる。
【００３７】
また、本実施形態の表示パネル８は、いずれも液晶パネルであるため、二枚の表示パネル８が組み込まれるものでありながら、厚さ寸法の小さい液晶パネルを用いてスリムな外観を実現できるだけでなく、高解像度の液晶パネルによってクリアな画像を表示することができる。
なお、表示パネル８は、動画などの画像を表示可能なパネル状の表示デバイスであれば、液晶パネルに限定されない。例えば、有機ＥＬを用いることができる。
【００３８】
［第二実施形態］
つぎに、本発明の第二実施例に係る屋外用両面表示装置について、図７〜図１０を参照して説明する。
ただし、第一実施形態と共通の構成については、第一実施形態と同一の符号を付けることにより、第一実施形態の説明を援用する。
【００３９】
図７は、本発明の第二実施形態に係る屋外用両面表示装置の斜視図、図８は、本発明の第二実施形態に係る屋外用両面表示装置の分解斜視図、図９は、本発明の第二実施形態に係る屋外用両面表示装置において、装置内部の冷却風の流れを示す正面図、図１０は、本発明の第二実施形態に係る屋外用両面表示装置において、吸気口周辺の構成を示す断面図である。
これらの図に示す本発明の第二実施形態に係る屋外用両面表示装置１Ｂは、冷却風を装置底部及び装置側部から吸い込み、両表示パネル８間の風路９で合流させる点が第一実施形態と相違している。具体的には、ベース２に形成した吸気口２ａから冷却風を吸い込むだけでなく、側部カバー１２に形成した吸気口１２ｅや側部フレーム３に形成した複数の吸気孔３ａからも冷却風を吸い込むようにしている。
このように構成された屋外用両面表示装置１Ｂによれば、冷却風の吸い込み箇所及び吸い込み方向が複数に分散されるので、装置全体をバランス良く冷却することができる。
【００４０】
図１０に示すように、吸気口１２ｅは、側部フレーム３の中間部に形成される吸気孔３ａよりも下方に位置するように側部カバー１２に形成され、機外から吸い込んだ冷却風を吸気孔３ａへ導く。本実施形態の吸気口１２ｅは、平行に並ぶ複数のスリット孔として形成されるが、孔形状は任意に設定することができる。
吸気口１２ｅの内側には、前述した防水板１２ｂが設けられており、吸気口１２ｂから侵入した雨水を装置外へ導く。
このようにすると、吸気口１２ｅからの雨水の侵入を防止しつつ、冷却風を装置内へ確実に吸い込むことができる。
なお、吸気口１２ｅの内側に設けられる防水板１２ｂは、排気口１４ｂに設けられるものと同様であり、排気口１４ｂの防水板１２ｂと同様に形状を任意に設定することができる。
【産業上の利用可能性】
【００４１】
本発明は、主に屋外に設置され、装置正面及び装置背面に所定の画像を表示する屋外用両面表示装置に用いることができる。特に、店頭に移動可能に設置して、イベント、キャンペーンの案内、商品、店内の紹介などを動画で表示したり、また、注目度の高いスポーツの実況中継や時事ニュースを放映することにより、お店の宣伝効果を高める店頭用の表示装置として好適に用いることができる。
【図面の簡単な説明】
【００４２】
【図１】本発明の第一実施形態に係る屋外用両面表示装置の斜視図である。
【図２】本発明の第一実施形態に係る屋外用両面表示装置の分解斜視図である。
【図３】本発明の第一実施形態に係る屋外用両面表示装置において、装置内部の冷却風の流れを示す正面図である。
【図４】本発明の第一実施形態に係る屋外用両面表示装置において、排気口周辺の構成を示す一部切欠き平面図である。
【図５】本発明の第一実施形態に係る屋外用両面表示装置において、排気口周辺の構成を示すＡ−Ａ断面図である。
【図６】本発明の第一実施形態に係る屋外用両面表示装置において、排気口周辺の構成を示すＡ−Ａ断面図である。
【図７】本発明の第二実施形態に係る屋外用両面表示装置の斜視図である。
【図８】本発明の第二実施形態に係る屋外用両面表示装置の分解斜視図である。
【図９】本発明の第二実施形態に係る屋外用両面表示装置において、装置内部の冷却風の流れを示す正面図である。
【図１０】本発明の第二実施形態に係る屋外用両面表示装置において、吸気口周辺の構成を示す断面図である。
【符号の説明】
【００４３】
１  屋外用両面表示装置
２  ベース
２ａ  吸気口
３  側部フレーム
３ａ  吸気孔
４  上部フレーム
４ａ  排気孔
５  キャスタ
６  電源
６ａ  冷却フィン
７  制御基板
８  表示パネル
８ａ  取付金具
９  風路
１０  送風ファン
１１  排気ダクト
１１ａ  折曲片
１１ｂ  舌片
１２  側部カバー
１２ａ  シール溝
１２ｂ  防水板
１２ｃ  底部
１２ｄ  壁部
１２ｅ  吸気口
１３  透明保護板
１４  上部カバー
１４ａ  シール溝
１４ｂ  排気口
１５  隙間
Ｓ  電源・基板類収容部
【図１】
2010102227.tif 000003
【図２】
2010102227.tif 000004
【図３】
2010102227.tif 000005
【図４】
2010102227.tif 000006
【図５】
2010102227.tif 000007
【図６】
2010102227.tif 000008
【図７】
2010102227.tif 000009
【図８】
2010102227.tif 000010
【図９】
2010102227.tif 000011
【図１０】
2010102227.tif 000012